(57)【要約】【課題】駐車中に異常状態が発生した場合に、車両位置に応じて起動する対処手段を選択する車両セキュリティ装置を提供すること。【解決手段】車両セキュリティ装置１は、駐車中の車両の異常状態を検出する異常状態検出手段１１と、駐車中の車両の位置が所定位置にあるか否かを判断する車両位置判断手段１２と、異常状態が発生した場合の車両状態および前記位置判断手段による判断結果に基づいて起動すべき対処手段を選択する対処手段選択手段１５と、対処手段の１つであり、警報を出力させる警報出力手段１３と、対処手段の別の１つであり、異常状態の発生を通信端末に通報する異常状態通報手段１４と、を備える。【選択図】図１
2007168472.tif 000002
【特許請求の範囲】
【請求項１】
駐車中の車両の異常状態を検出する異常状態検出手段と、
前記駐車中の車両の位置が所定位置にあるか否かを判断する車両位置判断手段と、
異常状態が発生した場合の車両状態および前記位置判断手段による判断結果に基づいて起動すべき対処手段を選択する対処手段選択手段と、
前記対処手段の１つであり、警報を出力させる警報出力手段と、
前記対処手段の別の１つであり、異常状態の発生を通信端末に通報する異常状態通報手段と、
を備えることを特徴とする車両セキュリティ装置。
【請求項２】
前記対処手段選択手段は、前記異常状態検出手段により異常状態が検出された場合であって、前記車両位置判断手段が所定位置にあると判断した場合に、前記警報出力手段を前記起動すべき対処手段として選択しない、
ことを特徴とする車両セキュリティ装置。
【発明の詳細な説明】
【技術分野】
【０００１】
本発明は、車両セキュリティ装置に関し、より詳細には、駐車車両に異常状態が発生した場合に、車両位置に基づいて対処方法を選択する車両セキュリティ装置に関する。
【背景技術】
【０００２】
車両または車両部品の盗難を防止する車両セキュリティ装置は、キーＩＤの認証なしにドアやトランクが開けられたり、ジャッキアップされたりといった異常状態を各種センサで検出し、ホーンや警報器により警報を発し、若しくは、ヘッドライトを点滅させて、異常状態の発生を周囲に知らせるようにしたり、または、エンジンが起動しないようにして車両が乗り逃げされるのを防止したりする。
【０００３】
係る車両セキュリティ装置には、夜間、誤作動でなく、実際に異常状態が発生した場合であっても住宅密集地において警報が出力されてしまうのを防止すべく、サイレント時間帯を設定し、設定した時間帯において異常状態が発生した場合には、警報を出力させず、ヘッドライトを点滅させたり、エンジンを始動させないようにしたりすることで所定のセキュリティ効果を維持しながら、近隣の迷惑になる警報出力を防止するセキュリティ装置も知られている（例えば、特許文献１参照。）。
【特許文献１】特開平４−４６８４６号公報
【発明の開示】
【発明が解決しようとする課題】
【０００４】
しかしながら、特許文献１に記載のセキュリティ装置は、サイレント時間帯の間はどのような場所に駐車していようが警報を出力させないので、盗難多発地帯に駐車する場合には、セキュリティレベルの低下が問題となる。
【０００５】
係る問題を解決するために、本発明は、駐車中に異常状態が発生した場合に、車両位置に応じて起動する対処手段を選択する車両セキュリティ装置を提供することを目的とする。
【課題を解決するための手段】
【０００６】
上述の目的を達成するために、第１の発明に係る車両セキュリティ装置は、駐車中の車両の異常状態を検出する異常状態検出手段と、前記駐車中の車両の位置が所定位置にあるか否かを判断する車両位置判断手段と、異常状態が発生した場合の車両状態および前記位置判断手段による判断結果に基づいて起動すべき対処手段を選択する対処手段選択手段と、前記対処手段の１つであり、警報を出力させる警報出力手段と、前記対処手段の別の１つであり、異常状態の発生を通信端末に通報する異常状態通報手段と、を備えることを特徴とする。
【０００７】
また、第２の発明は、第１の発明に係る車両セキュリティ装置において、前記対処手段選択手段は、前記異常状態検出手段により異常状態が検出された場合であって、前記車両位置判断手段が所定位置にあると判断した場合に、前記警報出力手段を前記起動すべき対処手段として選択しないことを特徴とする。
【発明の効果】
【０００８】
上述の手段により、本発明は、駐車中に異常状態が発生した場合に、車両位置に応じて起動する対処手段を選択する車両セキュリティ装置を提供することができる。
【発明を実施するための最良の形態】
【０００９】
以下、図面を参照しつつ、いくつかの実施例に分けて、本発明を実施するための最良の形態の説明を行う。
【実施例１】
【００１０】
図１は、車両セキュリティ装置の構成例を示す図である。車両セキュリティ装置１は、車両に搭載されるセキュリティ装置であって、異常状態検出手段１１、車両位置判断手段１２、警報出力手段１３、異常状態通報手段１４および対処手段選択手段１５を有し、通信モジュール２、警報出力装置３、エンジンＥＣＵ（Ｅｌｅｃｔｒｏｎｉｃ  Ｃｏｎｔｒｏｌ  Ｕｎｉｔ）４、イモビライザ５、ナビＥＣＵ６、ボディＥＣＵ７、ドアＥＣＵ８、侵入センサ９および傾斜センサ１０に接続される。
【００１１】
また、車両セキュリティ装置１は、通信モジュール２を介して通信センタ２０と無線通信を行い、さらに通信センタ２０を介して通信端末２１との通信を行う。
【００１２】
通信モジュール２は、車両と通信センタ２０と間を無線で結び、データの送受信を行うためのＤＣＭ（Ｄａｔａ  Ｃｏｍｍｕｎｉｃａｔｉｏｎ  Ｍｏｄｕｌｅ）であり、通信センタ２０を介して通信端末２１に車両の異常状態に関するデータや車両位置情報に関するデータを送信し、通信センタ２０から位置問い合わせ要求等を受信する。通信モジュール２は、通信センタ２０からの信号（車両位置の問い合わせ等）を受け付けずに電源供給が遮断され消費電力を抑制する休止状態、通信センタ２０からの信号を受け付ける待ち受け状態、所定の間隔で信号（車両位置を通知する信号等）を送信する稼動状態等の複数の作動状態を有する。
【００１３】
警報出力装置３は、警報を発生させるための装置であり、例えば、車両に搭載されるホーン、外部に向けて音声を出力するスピーカ、警報用に特別に用意されたサイレン、アラームまたはブザーである。また、光を出力する回転灯や電光掲示板であってもよい。
【００１４】
エンジンＥＣＵ４は、エンジンを制御する電子制御装置であり、エンジン始動の有無やエンジン回転数等のエンジンの動作に関するエンジン情報を車両セキュリティ装置１に送信する。また、車両セキュリティ装置１からの指示により、エンジンを始動させないようにしたりする。
【００１５】
イモビライザ５は、キーに埋め込まれているトランスポンダのIDコードと車両本体のIDコードとが一致しないと、エンジンが始動できないようにする盗難防止装置であり、ＩＤコードによる認証が正しく行われたか否かの認証情報を車両セキュリティ装置１に送信する。
【００１６】
ナビゲーションシステム６は、ハードディスクやＤＶＤ（Ｄｉｇｉｔａｌ  Ｖｅｒｓａｔｉｌｅ  Ｄｉｓｃ）等の記憶手段（図示せず。）に記憶された地図情報と、ＧＰＳ（Ｇｌｏｂａｌ  Ｐｏｓｉｔｉｏｎｉｎｇ  Ｓｙｓｔｅｍ）機能やジャイロセンサにより取得される車両位置情報とから目的地までの誘導を行うシステムであり、車両位置情報（経度、緯度、高度）を車両セキュリティ装置１に送信する。また、ナビゲーションシステム６は、車両が駐車する際に、車両位置情報を記憶手段に記憶し、駐車中、車両セキュリティ装置１から車両位置情報の問い合わせ要求があった場合に車両位置情報を通知する。
【００１７】
車両位置情報は、例えば、ナビゲーションシステム６のＧＰＳ受信機によりＧＰＳアンテナを介してＧＰＳ衛星が出力するＧＰＳ信号に基づいて測位・演算される。測位方法は、単独測位や相対測位（干渉測位を含む。）等の如何なる方法であってもよいが、好適には精度の高い相対測位が用いられる。この際、自車位置は、舵角センサ、車速センサやジャイロセンサ等の各種センサの出力や、ビーコン受信機及びＦＭ多重受信機を介して受信される各種情報に基づいて補正されてもよい。
【００１８】
ボディＥＣＵ７は、ドアミラー、サンルーフ、ボンネットまたはトランク等を制御する電子制御装置であり、ボンネットやトランクの開閉情報を車両セキュリティ装置１に送信する。
【００１９】
ドアＥＣＵ８は、ドアロック、ワイヤレスドアロック、スマートエントリ等を制御する電子制御装置であり、ドアの開閉情報等を車両セキュリティ装置１に送信する。
【００２０】
侵入センサ９は、車内に侵入した不審者を検出するためのセンサであり、例えば、超音波または電波の反射波を利用するもの、人体の発する熱を感知する赤外線サーモグラフィを利用するもの等がある。侵入センサ９は、不審者の侵入を検出すると、不審者検出情報を車両セキュリティ装置１に送信する。
【００２１】
傾斜センサ１０は、車両の傾斜度を測定するためのセンサであり、例えば、傾斜による液面変化を静電容量変化として検出するセンサや、圧電素子を用いたジャイロセンサ等がある。傾斜センサ１０は、ジャッキアップ等により、車両の傾斜が所定角度以上になったことを検出すると、異常傾斜角検出情報を車両セキュリティ装置１に送信する。
【００２２】
異常状態検出手段１１は、駐車中の車両が駐車に適さない異常状態になったか否かを検出する手段であり、例えば、エンジンＥＣＵ４からのエンジン情報とイモビライザ５からの認証情報とに基づいて不正なエンジン始動を検出したり、ボディＥＣＵ７からの開閉情報に基づいてボンネットやトランクの不正開放を検出したり、ドアＥＣＵ８からの開閉情報に基づいてドアの不正開放を検出したり、侵入センサ９からの不審者検出情報に基づいて不審者の侵入を検出したり、或いは、傾斜センサ１０からの異常傾斜角検出情報に基づいてジャッキアップ等が行われたことを検出したりする。
【００２３】
車両位置判断手段１２は、ナビゲーションシステム６からの車両位置情報に基づいて、車両が予め設定された所定位置にあるか否かを判定する。ここで、「所定位置」とは、車両所有者の自宅にある駐車スペースや、住宅街にある共同駐車場等、警報を発生させることが近隣住民の迷惑となり得る場所であって、車両所有者または警備関係者が直ぐに駆けつけることのできる場所等をいい、車両所有者は、ナビゲーションシステム６の操作ボタンを介して任意の場所を所定位置として設定することができる。また、所定位置は、地図上の一点を示すものでもよく、所定の範囲（例えば、設定位置から半径５００メートルの範囲または市、区、町等の行政区画）を示すものであってもよい。
【００２４】
警報出力手段１３は、警報を出力するための手段であり、警報出力装置３から警告音を出力させたり、スピーカ（図示せず）から「この車両は盗難車です」等の音声を出力させたり、ライトを点滅させたりする。
【００２５】
異常状態通報手段１４は、異常状態の発生を通報するための手段であり、例えば、通信センタ２０を介して車両所有者の有する通信端末２１に異常状態の発生を通報する。異常状態通報手段１４は、応答があるまで通信端末２１を呼び出し続けるようにしてもよく、メールまたは音声メッセージで１回または複数回通報を行ってもよい。
【００２６】
対処手段選択手段１５は、異常状態検出手段１１が異常状態を検出した場合に、起動すべき対処手段を選択するための手段であり、例えば、異常状態検出手段１１が不正なエンジン始動を検出した場合であって、車両位置判断手段１２が車両所有者の自宅に車両が駐車されていると判断した場合に、対処手段としての異常状態通報手段１４の起動を選択して、車両所有者に異常状態の発生を通報する。
【００２７】
この場合、対処手段選択手段１５は、対処手段としての警報出力手段１３の起動を選択しないようにして、車両が自宅にある場合には、警報出力装置３から警告音を出力させないようにする。車両が自宅にある場合には、自宅にいる車両所有者が通信端末２１を介して異常状態発生の通報を受け、直ぐに車両を確認できるからであり、夜間警告音が鳴り響き近隣の迷惑になってしまうのを防止するためである。
【００２８】
なお、対処手段選択手段１５は、時間帯に応じて警報出力手段１３の起動を行うか否かを設定することもでき、例えば、夜間には警報出力手段１３の起動を行わないが、それ以外の時間帯には警報出力手段１３の起動を行うようにすることもできる。
【００２９】
「対処手段」は、警報出力手段１３および異常状態通報手段１４の他に、通信モジュール２を待ち受け状態または稼動状態にする手段、エンジン始動を禁止させる手段、ヘッドライトを点滅させる手段、トランクの開放を禁止する手段、警備会社に通報する手段等がある。
【００３０】
また、対処手段選択手段１５は、異常状態発生の場合の車両位置、車両状態、時間帯等に対応させて、起動すべき対処手段を予め設定する。対処手段選択手段１５は、例えば、異常な車両状態として「ドアの不正開放」、車両位置として「所定位置以外の位置（例えば、商店街近くのコインパーキング）」、時間帯として「常時」を設定し、これら条件を全て満たす場合に起動する対処手段として、警報出力手段１３、異常状態通報手段１４、通信モジュール２を稼動状態にする手段、トランクの開放を禁止する手段および警備会社に通報する手段を設定する。また、対処手段選択手段１５は、例えば、異常な車両状態として「異常傾斜角の検出」、車両位置として所定位置として設定された「友人宅の駐車スペース」、時刻として「夜間（例えば、２２時から７時）」を定義し、これら条件を全て満たす場合に起動する対処手段として、異常状態通報手段１４、通信モジュール２を待ち受け状態にする手段、エンジン始動を禁止させる手段、ヘッドライトを点滅させる手段、トランクの開放を禁止する手段を設定する。
【００３１】
さらに、対処手段選択手段１５は、例えば、異常な車両状態として「所定の地理的範囲（例えば、自宅住所のある行政区分）外でのエンジン始動」を設定し、起動する対処手段として、異常状態通報手段１４および通信モジュール２を稼動状態にする手段を設定し、盗難発生後に対処できるようにしてもよい。
【００３２】
通信センタ２０は、車両から物理的に離れた位置に設置される基地局等の外部施設であり、常に車両セキュリティ装置１からの信号を受信できるようにする。
【００３３】
通信端末２１は、車両との通信を可能にする端末であり、例えば、携帯電話、ＰＤＡ（Ｐｅｒｓｏｎａｌ  Ｄｉｇｉｔａｌ  Ａｓｓｉｓｔａｎｃｅ）、ノートＰＣ（Ｐｅｒｓｏｎａｌ  Ｃｏｍｐｕｔｅｒ）等の通信端末をいう。なお、通信センタ２０と通信端末２１とは、無線接続されてもよく、有線接続されてもよい。
【００３４】
次に、車両セキュリティ装置１が対処手段を選択する処理について説明する。図２は、車両セキュリティ装置１が対処手段を選択する処理の流れを示すフローチャートである。
【００３５】
最初に、車両セキュリティ装置１は、異常状態検出手段１１により駐車中の車両における異常状態の発生を監視する（ステップＳ１）。
【００３６】
異常状態検出手段１１は、ドアＥＣＵ８からの開閉情報によりキーＩＤのない若しくはキーＩＤの異なるキーによりドアがアンロックされたことを検出したり、侵入センサ９からの不審者検出情報により不審者の侵入を検出したり、或いは、傾斜センサ１０からの異常傾斜角情報により異常傾斜角を検出したりすることにより、異常状態の発生を検出した場合（ステップＳ１のＹＥＳ）、車両位置判断手段１２により車両が所定位置に駐車されているか否かを判断する（ステップＳ２）。なお、異常状態検出手段１１は、異常状態の発生を検出しない場合（ステップＳ１のＮＯ）、異常状態の発生の監視を継続する。
【００３７】
次に、車両位置判断手段１２は、ナビゲーションシステム６の記憶手段に記憶された駐車時の車両位置情報を取得し、或いは、ナビゲーションシステム６のＧＰＳ機能により現在の車両位置情報を取得し、車両が予め設定された自宅の駐車スペースにないと判断すると（ステップＳ２のＮＯ）、車両セキュリティ装置１は、警報出力手段１３によりアラームを吹鳴させ（ステップＳ３）、かつ、異常状態通報手段１４により異常状態の発生を車両所有者の携帯電話に通知する（ステップＳ４）。
【００３８】
一方、車両位置判断手段１２により、車両が予め設定された自宅の駐車スペースにあると判断すると（ステップＳ２のＹＥＳ）、車両セキュリティ装置１は、警報出力手段１３によりアラームを吹鳴させず、異常状態通報手段１４により異常状態の発生を車両所有者の携帯電話に通知する（ステップＳ４）。
【００３９】
この構成により、車両セキュリティ装置１は、異常状態を検出した場合に、車両の駐車位置に基づいて警報出力の要否を自動的に判断し、警報を出力させることがふさわしくない場所では警報を出力させず、それ以外の場所では確実に警報を出力させることで、駐車時に警報出力のオン・オフを切り替える等の煩わしい設定なしに、セキュリティレベルを維持しながら、近隣住民の迷惑となる警報出力を防止することができるという効果が得られる。
【実施例２】
【００４０】
次に、車両セキュリティ装置１が対処手段を選択する別の処理について説明する。図３は、車両セキュリティ装置１が対処手段を選択する別の処理の流れを示すフローチャートである。
【００４１】
最初に、車両セキュリティ装置１は、異常状態検出手段１１により駐車中の車両における異常状態の発生を監視する（ステップＳ１１）。
【００４２】
異常状態検出手段１１がイモビライザ５からの認証情報によりキーＩＤのない若しくはキーＩＤの異なるキーによりエンジンが始動されたことを検出した場合（ステップＳ１１のＹＥＳ）、車両セキュリティ装置１は、異常状態通報手段１４により異常状態の発生を車両所有者の携帯電話に通知し、かつ、通信モジュール２を待ち受け状態に設定する（ステップＳ１２）。通信モジュール２を待ち受け状態に設定するのは、車両の盗難が発生した場合に車両の位置を追跡できるようにするためであり、通信モジュール２は、通信センタ２０からの車両位置情報の問い合わせ要求に応じて、ナビゲーションシステム６のＧＰＳ機能により取得した車両位置情報や、エンジンＥＣＵ４により取得したエンジン情報を通信センタ２０に向けて送信する。なお、異常状態検出手段１１は、異常状態の発生を検出しない場合（ステップＳ１１のＮＯ）、異常状態の発生の監視を継続する。
【００４３】
その後、車両セキュリティ装置１は、車両位置判断手段１２により車両が自宅から所定範囲内（例えば、自宅から半径１００ｍ以内）にあるか否かを判断する（ステップＳ１３）。
【００４４】
車両位置判断手段１２がナビゲーションシステム６のＧＰＳ機能により現在の車両位置情報を取得し、予め設定された自宅の駐車スペースから所定の範囲外に車両が移動したと判断すると（ステップＳ１３のＹＥＳ）、車両セキュリティ装置１は、警報出力手段１３によりアラームを吹鳴させ（ステップＳ１４）、走行中の車両が盗難車であることを周囲に知らせるようにする。なお、車両セキュリティ装置１は、住宅街等、アラームを吹鳴させるのに適さない場所をナビゲーションシステム６の地図情報から判断し、車両が係る地域外（例えば、繁華街や主要道路）に移動した場合にアラームを吹鳴させるようにしてもよい。
【００４５】
一方、車両セキュリティシステム１は、車両位置判断手段１２により、予め設定された自宅の駐車スペースから所定範囲内に車両が存在すると判断される限り（ステップＳ１３のＮＯ）、警報出力手段１３によりアラームを吹鳴させることはせず、異常状態通報手段１４による異常状態発生の通知を継続する。
【００４６】
この構成により、車両セキュリティ装置１は、エンジンが不正に始動され車両が移動させられた場合であっても、車両の現在位置に基づいて警報出力の要否を自動的に判断し、警報を出力させることがふさわしくない場所では警報を出力させず、それ以外の場所では確実に警報を出力させることで、セキュリティレベルを維持しながら、近隣住民の迷惑となる警報出力を防止することができるという効果が得られる。
【００４７】
また、車両セキュリティ装置１は、エンジンが不正に始動させられ車両が移動させられた後、車両位置判断手段１２により車両が、例えば、ガソリンスタンドや警察署付近等といった盗難車両であることを通知し易い場所にあると判断すると、警報出力手段１３により音声やアラームを出力させるようにしてもよい。
【００４８】
この構成により、車両セキュリティ装置１は、エンジンが不正に始動され車両が移動させられた場合であっても、車両の捕獲を容易にすることができるという効果が得られる。
【００４９】
以上、本発明の好ましい実施例について詳説したが、本発明は、上述した実施例に制限されることはなく、本発明の範囲を逸脱することなく、上述した実施例に種々の変形及び置換を加えることができる。
【００５０】
例えば、上述の実施例における車両セキュリティ装置１が有する、異常状態検出手段１１、車両位置判断手段１２、警報出力手段１３、異常状態通報手段１４および対処手段選択手段１５は電子回路で構成されてもよく、或いは、ＲＯＭ（Ｒｅａｄ  Ｏｎｌｙ  Ｍｅｍｏｒｙ）等の記憶手段に記憶され、ＲＡＭ（Ｒａｎｄｏｍ  Ａｃｃｅｓｓ  Ｍｅｍｏｒｙ）等に展開されてコンピュータに各手段を実行させるプログラムであってもよい。
【図面の簡単な説明】
【００５１】
【図１】本発明に係る車両セキュリティ装置の構成例を示す図である。
【図２】車両セキュリティ装置が対処手段を選択する処理の流れを示すフローチャート（その１）である。
【図３】車両セキュリティ装置が対処手段を選択する処理の流れを示すフローチャート（その２）である。
【符号の説明】
【００５２】
１      車両セキュリティ装置
２      通信モジュール
３      警報出力装置
４      エンジンＥＣＵ
５      イモビライザ
６      ナビゲーションシステム
７      ボディＥＣＵ
８      ドアＥＣＵ
９      侵入センサ
１０    傾斜センサ
１１    異常状態検出手段
１２    車両位置判断手段
１３    警報出力手段
１４    異常状態通報手段
１５    対処手段選択手段
２０    通信センタ
２１    通信端末
【図１】
2007168472.tif 000003
【図２】
2007168472.tif 000004
【図３】
2007168472.tif 000005